(57)【要約】【課題】  一般的に用いられているダブルクリップに好適に利用することができ、資料をダブルクリップでとめて積み重ねたような場合においても、簡単に所望の資料を見つけることが可能なダブルクリップ用インデックスおよびこれを背板に装着してなるダブルクリップを安価に提供する。【解決手段】  ダブルクリップ３０の背板３２に脱着して用いるダブルクリップ用インデックス１０であって、一端部がダブルクリップ３０の背板３２内側に進入可能に形成され、他端部がダブルクリップ３０の背板３２外側にあらわれるように折り曲げて形成された係止部１６と、被綴じ込み物５０を識別する識別子を表示する表示部１４とを有し、係止部１６と表示部１４とにより、ダブルクリップ３０の背板３２を挟持することを特徴とする。【選択図】        図４
2006175795.tif 000002
【特許請求の範囲】
【請求項１】
ダブルクリップの背板に脱着して用いるダブルクリップ用インデックスであって、
一端部がダブルクリップの背板内側に進入可能に形成され、他端部がダブルクリップの背板外側にあらわれるように折り曲げて形成された係止部と、
被綴じ込み物を識別する識別子を表示する表示部とを有し、
前記係止部と前記表示部とにより、ダブルクリップの背板を挟持することを特徴とするダブルクリップ用インデックス。
【請求項２】
前記係止部と前記表示部は、着脱自在であることを特徴とする請求項１記載のダブルクリップ用インデックス。
【請求項３】
前記係止部と前記表示部とは合成樹脂により一体形成されていることを特徴とする請求項１または２記載のダブルクリップ用インデックス。
【請求項４】
前記表示部は透明材料であることを特徴とする請求項１〜３のうちいずれか一項記載のダブルクリップ用インデックス。
【請求項５】
請求項１〜４のうちのいずれか一項記載のダブルクリップ用インデックスを背板に装着してなることを特徴とするダブルクリップ。
【発明の詳細な説明】
【技術分野】
【０００１】
本発明は、ダブルクリップ用インデックスおよびこれを具備するダブルクリップに関し、より詳細には、ダブルクリップの背板側に表示部を設けるためのダブルクリップ用インデックスおよびこれを背板に装着してなるダブルクリップに関する。
【背景技術】
【０００２】
ダブルクリップは、それぞれ単独で存在している印刷物等や小冊子等の資料を取りまとめておくことができる有用な事務用品として広く用いられている。
しかしながら、折角取りまとめた資料であっても、資料の数が増加すれば、それぞれの資料を区別することができなくなってしまう。そこで、取りまとめた資料を区別するための方法として、紙面の縁部に資料の紙面方向と同方向にインデックスを取り付ける整理方法が用いられている。この整理方法によっても、取りまとめた資料を紙面方向に積み重ねて保管したり、棚に収納して保管してしまうと、紙面の厚さ方向（背部分）しか見えなくなることから、紙面と面方向を同じくして取り付けたインデックスでは容易に所望の資料を見つけることができない。
特許文献１には、取りまとめた資料を積み重ねて保管したり、棚に収納して保管することにより、紙面の厚さ方向しか見えない場合であっても、所望の資料を迅速に見つけることが可能なダブルクリップが提案されている。
【特許文献１】登録実用新案公報第３０２５８６２号
【発明の開示】
【発明が解決しようとする課題】
【０００３】
特許文献１に開示されているダブルクリップ６０は、図１０に示す構成からなるものであり、ダブルクリップ６０の背板６２の幅方向の両端部分に内向きの折り曲げ庇部６４が形成され、ダブルクリップ６０の背板６２に見出し７０を挟持したものである。しかしながら、ここで使用しているダブルクリップ６０においては、見出し７０を背板６２につけるために背板６２に折り曲げ庇部６４を設けた独自の構造であって、一般的な構造を有するダブルクリップを有効活用することができないという課題がある。
【０００４】
本発明は、一般的に用いられているダブルクリップに好適に利用することができ、資料をダブルクリップでとめて積み重ねたような場合においても、簡単に所望の資料を見つけることが可能なダブルクリップ用インデックスおよびこれを背板に装着してなるダブルクリップを安価に提供することを目的とする。
【課題を解決するための手段】
【０００５】
上記目的を達成するべく、本発明は以下の構成を備える。
すなわち、ダブルクリップの背板に脱着して用いるダブルクリップ用インデックスであって、一端部がダブルクリップの背板内側に進入可能に形成され、他端部がダブルクリップの背板外側にあらわれるように折り曲げて形成された係止部と、被綴じ込み物を識別する識別子を表示する表示部とを有し、前記係止部と前記表示部とにより、ダブルクリップの背板を挟持することを特徴とする。
【０００６】
また、前記係止部と前記表示部は、着脱自在であることを特徴とする。
これにより、挿入口に挿入すべき書込片を交換するだけで他の被綴じ込み物にも適用可能であり、繰り返し使用することができる。また、部品の形状が簡易なものになるため、製造コストを削減することができる。
【０００７】
また、前記係止部と前記表示部とは合成樹脂により一体形成されていることを特徴とする。
これにより、効率的な製造が可能になる。
【０００８】
また、前記表示部は透明材料であることを特徴とする。
これにより、書込片の記入面が保護されるため、識別子が不明瞭になるおそれがなくなり、長期にわたる使用が可能になる。
【０００９】
また他の発明は、上記のうちのいずれかに記載されているダブルクリップ用インデックスを背板に装着してなることを特徴とするダブルクリップである。
【発明の効果】
【００１０】
本発明に係るダブルクリップ用インデックスおよびこれを具備するダブルクリップを採用することにより、取りまとめた資料の背部分にインデックスを付けることができ、資料の整理整頓が容易になる。
また、既存のダブルクリップをそのまま使用することができると共に、非常に安価でしかも容易にインデックスを取り付けることができるので、手間がかからず、資源の有効利用が可能になる。
【発明を実施するための最良の形態】
【００１１】
（実施の形態１）
以下、本発明の好適な実施の形態について添付図面を参照しながら詳細に説明する。図１は本実施の形態におけるダブルクリップ用インデックスの構造を示す一部透視斜視図である。図２は、図１のダブルクリップ用インデックスの側面図である。
本実施の形態におけるダブルクリップ用インデックス１０（以下、単にインデックス１０ということがある）は、ダブルクリップ３０の背板３２の綴じ代を規定する側の幅と同一幅に形成され、被綴じ込み物５０を識別するための文字や図形等の識別子を表示する表示部１４と、表示部１４と共にダブルクリップの背板３２を挟持する係止部１６とにより構成されている。
【００１２】
表示部１４および係止部１６は、合成樹脂により一体成形され、側面視が略Ｊ字状となるように折り曲げられた形状に形成されている。なお、本発明において用いられる折り曲げとは、折り曲げ線があらわれる直線的な折り曲げ形態の他、折り曲げ線があらわれない曲線的な折り曲げ形態も含むものとしている。
表示部１４には、被綴じ込み物を識別するための文字、記号、絵等からなる識別子が記入された書込片２０が挿入可能な挿入口１４ａが形成されている。図１からも明らかなように、表示部１４には、書込片２０への記入内容が見える側の面に開口部１４ｂが形成されている。すなわち、表示部１４の横断方向における断面形状は略Ｃ字状に形成されていることになる。
【００１３】
背板導入部１８は、図２に示すように、係止部１６の先端部分を表示部１４の裏面側から離反する方向に折り曲げられることにより形成されている。背板導入部１８により、係止部１６の先端部分には表示部１４と離間する部分が創出される。インデックス１０はダブルクリップ３０の背板３２に係止部１６を差し込むようにして取り付けするので、ダブルクリップ３０にインデックス１０を係止する際において、ユーザが係止部１６を表示部１４から離反するように弾性変形させて背板３２を導入させる手間がなくなり、単純に背板３２を背板導入部１８に滑り込ませれば良いだけになる。
係止部１６は、折り曲げ部分１６ａから係止部１６の先端部にわたって徐々に表示部１４に接近するように形成されている。これにより、表示部１４と係止部１６とが背板３２を適宜挟持することが可能になる。  
【００１４】
ダブルクリップ３０について簡単に説明する。図３は、ダブルクリップの概略図である。
いわゆるダブルクリップ３０は、被綴じ込み物５０の綴じ代を規定する背板３２の両端に把持部３４を具備する二枚の押圧板３６が連結された構造になっている。把持部３４は、押圧板３６の先端に回動自在に取り付けられている。ダブルクリップ３０における背板３２と押圧板３６は、背板３２を底辺とした二等辺三角形状に形成されているので、二枚の押圧板３６により複数枚の印刷物やカタログ等の被綴じ込み物５０が挟持され、被綴じ込み物５０を取りまとめた状態が維持できる。
【００１５】
次に本実施の形態におけるインデックス１０の使用方法について説明する。図４は、本実施の形態におけるダブルクリップ用インデックスの使用状態の一例を示す説明図である。
被綴じ込み物５０をダブルクリップ３０により挟んだ状態で、背板３２にインデックス１０を取り付ける。具体的には、ダブルクリップ３０の背板３２の下側からインデックス１０の背板導入部１８を進入させる。背板導入部１８に背板３２が進入すると、表示部１４と係止部１６が板バネとして作用し、表示部１４と係止部１６が背板３２を挟持するので背板３２にインデックス１０がしっかりと取り付けられる。
また、係止部１６は背板３２の内側幅と同一幅に形成されているので、係止部１６のズレが背板３２の両端縁に連結されている押圧板３６により規制される。これにより、インデックス１０がダブルクリップ３０の背板３２に対して傾いた状態で取り付けられてしまうことがない。
【００１６】
図４に示すように、ダブルクリップ３０で綴じ込んだ被綴じ込み物５０を識別するための文字や図形等による識別子が記入された書込片２０表示部１４の挿入口１４ａから挿入する。このように被綴じ込み物５０の側面に見出しがつけられているので、被綴じ込み物５０を綴じ込んだ状態で積み重ねた場合や、本棚に並べた場合でも、被綴じ込み物の背側から見分けることができる。すなわち、すばやく所望の資料が入手でき、かつ、被綴じ込み物５０の判別が極めて容易になる。
【００１７】
さらに、被綴じ込み物５０へのダブルクリップ３０の取り付け位置を被綴じ込み物５０ごとに変えれば、インデックス１０の位置もそれぞれ異なるため、ダブルクリップ３０でまとめた被綴じ込み物５０が複数部集まった状態になっても、見出しとなる表示部１４が重ならなくなる。これにより、それぞれの被綴じ込み物５０に対応した表示部１４が見やすくなり、被綴じ込み物５０の検索がより容易になる。また、被綴じ込み物５０を積み重ねた場合や、本棚に並べた場合に、それぞれの被綴じ込み物５０に取り付けられているダブルクリップ３０が同じ高さ位置にならないので、ダブルクリップ３０どうしが互いに邪魔にならず、積み上げ高さや並べ幅の増加が最小限に抑えることができ好適である。
【００１８】
（実施の形態２）
次に第２の実施の形態について説明する。図５は、ダブルクリップ用インデックスの第２の実施の形態を示す正面図である。図６は、図５のダブルクリップ用インデックスの側面図である。図７は、図６中のＡ−Ａ線における断面図である。
先の実施の形態においては、挿入口１４ａから挿入した書込片２０は単に挿入されているだけであるため、インデックス１０を上下逆にすると、書込片２０が挿入口１４ａから脱落してしまうおそれがある。
【００１９】
そこで、第２の実施の形態におけるインデックス１０は、図５に示すように、表示部１４の係止部１６側に開口部１４ｂを設けている。また、図６に示すように、開口部１４ｂに進入可能に形成された突起部１６ｂを係止部１６の背板導入部１８側部分に配設している。突起部１６ｂは、折り曲げ部分１６ａからの高さ位置が、ダブルクリップ３０の背板３２の高さＨ（図３）よりも上側の位置となるように設けられている。
このように形成されたインデックス１０であるから、挿入口１４ａに挿入された書込片２０は、開口部１４ｂから進入してきた突起部１６ｂによって表示部１４の内側面１４ｃに押圧された状態となる。また、突起部１６ｂの下側端部が背板３２の上端部に接し、インデックス１０のストッパとして作用する。このような構成を有しているので、インデックス１０は、表示部１４に外力が作用しても表示部１４がずれてしまうことはなく、さらには、インデックス１０を上下逆にしても挿入口１４ａから書込片２０が脱落することを防ぐことができる。
【００２０】
また、本実施形態におけるインデックス１０は、透明または半透明な合成樹脂を用いて形成されている。書込片２０に表示されている識別子はインデックス辺部１４により保護されているので、長期にわたる使用をしても識別子の状態が維持される。
【００２１】
（実施の形態３）
図８は、第３の実施の形態におけるダブルクリップ用インデックスの斜視図である。図９は、第３の実施の形態における係止部の側面図である。
本実施の形態におけるインデックス１０は、表示部１４と係止部１６が別体に形成されている。表示部１４は、図５に示す第２の実施形態の表示部１４の横断面形状と同じ横断面形状を有する板状体に形成されている。係止部１６は、表示部１４の挿入口１４ａに差し込まれる差込片１６Ｘと、ダブルクリップ３０の背板３２の内側に進入する進入片１６Ｙと、表示部１４の背面に当接する当接片１６Ｚとを有し、略し字状に形成されている。
【００２２】
進入片１６Ｙは、折り曲げ部分１６ａから差込片１６Ｘに徐々に接近するように傾斜した状態で上方に伸びている。本実施形態における進入片１６Ｙの先端部分は差込片１６Ｘを越える位置まで伸びている。進入片１６Ｙの先端部分には当接片１６Ｚが形成されている。（進入片１６Ｙをダブルクリップ３０の背板３２の内側に進入させた後、）差込片１６Ｘに表示部１４の挿入口１４ａを差し込むことによりインデックス１０が構成される。インデックス１０は板バネとして作用し、当接片１６Ｚと表示部１４の背面により背板３２が挟持される。
なお、進入片１６Ｙは必ずしも差込片１６Ｘを越える位置まで伸びる必要はなく、当接片１６Ｚと表示部１４の背面が背板３２を挟持することができる程度の位置に当接片１６Ｚを配置させることができれば良い。また、当接片１６Ｚの部分に、図６、図７に示すような突起部１６ｂを設けることもできる。
【００２３】
以上に本発明にかかるダブルクリップ用インデックスとこれを背板に装着してなるダブルクリップについて詳細に説明してきたが、本発明はこれらに限定されるものではなく、発明の要旨を変更しない範囲における変更をしたとしても本発明の技術的範囲に属するのは言うまでもない。
例えば、表示部１４には、書込片２０を挿入口１４ａから挿入することにより被綴じ込み物の識別子を表示しているが、表示部１４の表面に文字、記号、絵等による識別子を直接記入することもできる。
また、以上の実施の形態においては、インデックス１０を直線的に折り曲げることにより形成されているが、曲線的に折り曲げて形成することももちろん可能である。
【図面の簡単な説明】
【００２４】
【図１】本実施の形態におけるダブルクリップ用インデックスの構造を示す一部透視斜視図である。
【図２】図１のダブルクリップ用インデックスの側面図である。
【図３】ダブルクリップの概略図である。
【図４】本実施の形態におけるダブルクリップ用インデックスの使用状態の一例を示す説明図である。
【図５】ダブルクリップ用インデックスの第２の実施の形態を示す正面図である。
【図６】図５のダブルクリップ用インデックスの側面図である。
【図７】図６中のＡ−Ａ線における断面図である。
【図８】ダブルクリップ用インデックスの第３の実施の形態を示す斜視図である。
【図９】第３の実施形態における係止部の側面図である。
【図１０】従来技術におけるインデックス付きダブルクリップの斜視図である。
【符号の説明】
【００２５】
１０  ダブルクリップ用インデックス
１４  表示部
１４ａ  挿入部
１４ｂ  開口部
１６  係止部
１８  背板導入部
２０  書込片
３０  ダブルクリップ
３２  背板
３６  押圧板
５０  被綴じ込み物
【図１】
2006175795.tif 000003
【図２】
2006175795.tif 000004
【図３】
2006175795.tif 000005
【図４】
2006175795.tif 000006
【図５】
2006175795.tif 000007
【図６】
2006175795.tif 000008
【図７】
2006175795.tif 000009
【図８】
2006175795.tif 000010
【図９】
2006175795.tif 000011
【図１０】
2006175795.tif 000012